(57)【特許請求の範囲】
【請求項１】
ボトルなどの複数の物品に適用される頂部把持式の物品キャリアであって、このキャリアは、頂パネルと、この頂パネルの一対の側端にほぼ鉛直下方に向けて延在するように設けられた第１、第２側パネルとを有する筒状の中央部と、この中央部の前記第１側パネルおよび前記第２側パネルから外側へ向けて延在する第１パネルおよび第２パネルとを備え、上記第１、第２パネルは、周縁部に複数のタブを有する複数の開口を備え、これら開口は、所定の操作によって上記タブがその通常の位置の平面から上方へ折り曲げられて係合部を構成することにより、上記開口に収容された物品の半径方向外方へ突出した部分の下側部に係合するようになされ、さらに上記キャリアは、上記第１または第２パネルと重なるように配置されるとともに、上記第１パネルの開口および第２パネルの開口に各々合致する開口を有する少なくとも１つの連結パネルを備え、上記中央部は、上記第１、第２パネルおよび連結パネルの合致した開口の少なくともいずれか１つに物品が収容されることで筒状形態に維持されることを特徴とする物品キャリア。
【請求項２】
前記第１、第２パネルは、前記第１、第２パネルおよび前記連結パネルの合致した開口のそれぞれに物品が収容されることにより、前記中央部に対する相対位置が保持されることを特徴とする請求項１に記載の物品キャリア。
【請求項３】
前記少なくとも１つの連結パネルは、前記キャリアの両端部の一方から延在するように配置されていることを特徴とする請求項１または２に記載のキャリア。
【請求項４】
前記少なくとも１つの連結パネルは、前記キャリアが平板状の一体物の状態のときに、前記第１、第２パネルを越えて延在していることを特徴とする請求項１または２に記載の物品キャリア。
【請求項５】
頂部把持式の物品キャリア用ブランクであって、このブランクは、頂パネルと、この頂パネルの一対の側端に折曲げ自在に接続された第１、第２側パネルと、これら第１、第２側パネルの端部に折曲げ自在に接続されるとともに周縁部に複数のタブを有する複数の開口を備えた第１、第２パネルとを備え、上記タブはその通常の位置の平面から上方へ折曲げ可能であり、上記キャリアは、複数の開口を有する少なくとも１つの連結パネルを備え、この連結パネルは、上記第１、第２パネルの少なくともいずれか一方に折曲げ自在に接続され、
ブランクが組み立てられたときに、前記頂パネルと前記第１、第２側パネルとは、キャリアを持ち運ぶためのほぼ鉛直下方に向けて延在したキールとなる筒状体を構成し、前記連結パネルは、上記連結パネルの開口と上記第１、第２パネルの開口とが合致するように配置されることを特徴とするブランク。
【請求項６】
ボトルなどの複数の物品に適用される頂部把持式の物品キャリアであって、このキャリアは、頂パネルと、この頂パネルの一対の側端にほぼ鉛直下方に向けて延在するように設けられた第１、第２側パネルとを有するとともに、キャリアを持ち運ぶためのキール構造と、このキール構造の前記第１、第２側パネルの端部に折曲げ自在に接続されるとともに物品の頂部を受容するようになされた第１、第２パネルと、これら第１、第２パネルと重複して配置される少なくとも１つの連結パネルとを備え、この連結パネルは、上記第１パネルに設けた開口および第２パネルに設けた開口と各々合致する少なくとも２つの開口を備え、第１、第２パネルおよび連結パネルの合致した開口に物品が収容されることでキャリアの組立形態が保持されることを特徴とする物品キャリア。
【発明の詳細な説明】
発明の背景
本発明は、ボトルのような物品を複数梱包するためのキャリアに係り、特に、物品の頂部を固定して整列状態に保持する頂部把持式キャリアに関する。
頂部把持式キャリアとしては、いわゆる「サンバースト孔」である旭日状の開口を有するものが供給されている。この開口には、円周方向に複数のタブが連設され、タブは、ボトルの頂部が開口を通過するのを許容するとともに、ボトルの頂部あるいはボトルの首部のフランジの下側部と係合することにより、ボトルが開口から抜けないようにしている。このような頂部把持式キャリアでは、物品を保持するための充分な強度を有していなければならないという課題がある。この課題を達成するために頑丈な構成にすることは、同時に煩雑さを導くことにもなる。従来の技術では、キャリアを構成するために、ロック手段や接着を必要としている。
また、頂部把持式キャリアは、持ち運ぶようになされていることからも煩雑な問題を内包している。
発明の概要
本発明は、箱状体に、その両側に配置された複数のボトルを支持するのに充分な強度と必要な剛性を付与することで上記課題を達成するものである。さらに、本発明では、ボール紙の使用量と組立時間を低減することができるという経済的な利点をも達成するものである。
本発明の一つの特徴によれば、ボトルなどの複数の物品に適用される頂部把持式の物品キャリアであって、このキャリアは、筒状の中央部と、この中央部から外側へ向けて延在する第１パネルおよび第２パネルとを備え、上記第１、第２パネルは、周縁部に複数のタブを有する複数の開口を備え、上記開口は、所定の操作によって上記タブがその通常の位置の平面から上方へ折り曲げられて係合部を構成することにより、上記開口に収容された物品の半径方向外方へ突出した部分の下側部に係合するようになされ、さらに上記キャリアは、上記第１、第２パネルと重なるように配置されるとともに、上記第１パネルの開口および、第２パネルの開口に各々合致する開口を有する少なくとも１つの連結パネルを備え、上記中央部は、上記第１、第２パネルおよび連結パネルの合致した開口の少なくともいずれか１つに物品が収容されることで形態が維持される物品キャリアが提供される。
本発明の一つの態様によれば、第１、第２パネルは、第１、第２パネルおよび前記連結パネルの合致した開口に物品が収容されることにより、中央部に対する相対位置が保持される。
本発明の他の態様によれば、連結パネルは、キャリアの両端部の一方から延在するように配置される。
本発明のさらに他の態様によれば、連結パネルは、キャリアが平板状の一体物の状態のときに、第１パネルまたは第２パネルを越えて延在している。
本発明の他の特徴によれば、頂部把持式の物品キャリア用ブランクであって、このブランクは、周縁部に複数のタブを有する複数の開口を備えた第１、第２パネルを備え、タブはその通常の位置の平面から上方へ折曲げ可能であり、キャリアは、複数の開口を有する少なくとも１つの連結パネルを備え、この連結パネルは、第１、第２パネルの少なくともいずれか一方に折曲げ自在に接続され、ブランクが組み立てられたときに、連結パネルの開口と第１、第２パネルの開口とが合致するように配置されるブランクが提供される。
本発明の他の態様によれば、ブランクは、キャリアが組み立てられたときにこれを持ち運ぶための直立したキールとなる筒状体を構成する複数のパネルを備えている。
本発明のさらに他の特徴によれば、ボトルなどの複数の物品に適用される頂部把持式の物品キャリアであって、このキャリアは、キャリアを持ち運ぶための直立したキール構造と、このキール構造の両側部に折曲げ自在に接続されるとともに物品の頂部を受容するようになされた第１、第２パネルと、これら第１、第２パネルと重複して配置される少なくとも１つの連結パネルとを備え、この連結パネルは、第１パネルの開口および、第２パネルの開口と各々合致する少なくとも２つの開口を備え、第１、第２パネルおよび連結パネルの合致した開口に物品が収容されることでキャリアの組立形態が保持される物品キャリアが提供される。
【図面の簡単な説明】
第１図は本発明の実施例のキャリアのブランクである。
第２図は第１図に示すブランクから形成されたキャリアを示す図である。
第３図は本発明の他の実施例のキャリアのブランクである。
第４図は第３図に示すブランクから形成されたキャリアを示す図である。
好適な実施例の詳細な説明
第１図には頂部把持式キャリアを形成するためののブランク10が示され、このブランク10は、ボール紙やそれに類する折曲げ自在なシート材料で構成されている。ブランク10は、第２図に示すキール構造Ｋに接続された第１パネル12を備えている。キール構造Ｋは、折目線32,34に沿って互いに折曲げ自在に接続された第１側パネル14、頂パネル16および第２側パネル18を備えている。第１パネル12は、折目線30に沿って第１側パネル14に折曲げ自在に接続されている。
第２パネル20は、第２側パネル18の外縁に沿って折目線36によってキール構造Ｋに折曲げ自在に接続されている。連結パネル22は中間パネル26によって頂パネル16に接続され、中間パネル26は、折目線38および40によって頂パネル16と連結パネル22のそれぞれに折曲げ自在に接続されている。頂パネル16を挟んで反対側には、折目線42によって頂パネル16に折曲げ自在に接続された中間パネル28が配置されている。中間パネル28の他方の縁部に沿う折目線44は連結パネル24と中間パネル28とを折曲げ自在に接続している。
第１図に示すように、第１パネル12と第２パネル20のそれぞれには、ほぼ円形の３つのタブ開口50,52,54が一列状に形成され、各開口には、円周方向に連設された８つのタブ56が設けられている。タブ56は、開口に受容される物品と接合するほぼ円形の内面を構成するように形成されている。
連結パネル22には、ほぼ円形の支持開口58が一対形成され、連結パネル24にもほぼ円形の支持開口60が一対形成されている。支持開口58,60の直径は、第１、第２パネル12,20に設けられた開口の直径と同等であることが望ましい。組み立てる際には、連結パネル22の支持開口58は第１、第２パネル12,20の開口50に合わせられ、同時に、連結パネル24の支持開口60は第１、第２パネル12,20の開口54に合わせられる。
頂パネル16には、互いに反対側を向くＤ字状の指掛け穴62が形成されている。
第２図は、ボトルの頂部の下側部に第１、第２パネル12,20のタブ56が係合してほぼ組立が完了した状態のキャリアを示す。まず、第１、第２側パネル14,18を頂パネル16に対して角度をなすように折目線32,34に沿って折り曲げることでキャリアの組立が始められる。次いで、第１、第２パネル12,20は、折目線30,36に沿って折り曲げられ、頂パネル16に対して平行でかつ異なる平面上に位置させられる。
中間パネル26,28は、折目線38,40に沿って折り曲げられる。次いで、連結パネル22,24は、折目線40,44に沿って折り曲げられ、第１、第２パネル12,20と重ねられるとともに、その支持開口58,60が開口50,54と合致させられる。
物品が支持開口58,60およびタブ開口50,52,54に挿入されると、タブ56はそれらの共通平面から外側へ移動し、それらの端縁がボトルの頂部の下側部に当接する。これにより、キャリアは、第２図に示すような箱状体に保持される。タブ56が物品を開口内に保持する一方、支持開口58、60がキール構造Ｋを組立状態に保持する。
第３図は本発明の他の実施例を示し、この例では、キール構造Ｋは、折目線130,132によって互いに折曲げ自在に接続された第１側パネル110、頂パネル112および第２側パネル114から構成される。第１側パネル110は、第１パネル116に折目線134に沿って折り曲げ自在に接続されている。第１パネル116の他方の側縁には、折目線136に沿って連結パネル120が折曲げ自在に接続されている。第２側パネル114には、パネル118が折目線138に沿って折り曲げ自在に接続されている。
パネル118は、折目線140に沿って互いに折曲げ自在に接続された連結パネル122と第２パネル124からなっている。
第３図に示すように、第１パネル116と第２パネル124のそれぞれには、ほぼ円形の３つのタブ開口152,154,156が一列状に形成され、各タブ開口には、円周方向に連設された８つのタブ158が形成されている。これらタブ158は、開口に受容される物品と接合するほぼ円形の表面を構成するように形成されている。
連結パネル122には、円形をなす支持開口160,162,164が各列３つずつ２列形成され、連結パネル120には、円形をなす支持開口166,168,170が３つ１列に形成されている。各支持開口の直径は、第１、第２パネル116,124に設けられた開口152,154,156の直径と同等であることが望ましい。組み立てる際には、連結パネル122の支持開口160,162,164は開口152,154,156にそれぞれ合わせられる。また、連結パネル120の支持開口166,168,170は、第１パネル116の開口152,154,156に合わせられる。
頂パネル112には、互いに反対側を向くＤ字状の指掛け穴150が形成されている。
第４図に示すように、第１、第２パネル116,124のタブ158がボトルの頂部の下側部に係合することで、キャリアはほぼ組み立てられた状態となる。まず、第１、第２側パネル110,114を頂パネル112に対して角度をなすように折目線130,132に沿って折り曲げることでキャリアの組立が始められる。端パネル170,172は頂パネル112に対して傾斜するように折目線142,144に沿って折り曲げられ、パネル174,176は第１、第２側パネル110,114と面接触する。第１、第２パネル116,124は、折目線134,138に沿って折り曲げられ、頂パネル112に対して平行でかつ異なる平面上に位置させられる。
次いで、連結パネル122は、折目線140に沿って折り曲げられ、第１、第２パネル116,124と重ねられ、これにより、その支持開口160,162,164が第１、第２パネル116,124の対応する開口152,154,156と合致させられる。次いで、連結パネル120は折目線136に沿って折り曲げられ、連結パネル122と面接触する。あるいは、連結パネル120は、連結パネル122の折曲げに先だって折目線136に沿って折り曲げられ、これにより、第１パネル116と連結パネル122の間に連結パネル120が介装された状態で連結パネル122が第１、第２パネル116,124と重なり合う。
物品が支持開口160,162,164,166,168,170およびタブ開口152,154,156に挿入されると、タブ158はそれらの共通平面から外側へ移動し、それらの端縁がボトルの頂部の下側部に当接する。これにより、キャリアは、第４図に示すような箱状体に保持される。タブ158は、ボトルを開口内に保持し、その一方で支持開口160,162,164,166,168,170がキール構造Ｋを組立状態に保持する。
本発明およびその好適な実施例は、強度が要求される部分をボール紙の２層構造とすることで充分な剛性を有するように形成されたキャリアに関する。ブランク形状は、ボール紙の使用量を少なくするように、必要最小限の幅とされている。このキャリアは、ボトルの列に対して手作業または自動機により装着される。
【図２】
0003626204.tif 000002
【図１】
0003626204.tif 000003
【図４】
0003626204.tif 000004
【図３】
0003626204.tif 000005